(57)【要約】      （修正有）【課題】電池を収容する収容室に電池の液漏れや漏水等の異常が生じた場合にも、装置の故障を防ぐことができる水質測定装置を提供する。【解決手段】水質測定用センサを操作する操作本体を収容する第１収容室５と、電池を収容する第２収容室６とを仕切り壁１１で仕切るケース２を備える水質測定装置１であって、第２収容室６には、電池を出し入れするための開口が設けられるとともに、該開口を封止する蓋８が設けられて、第１収容室５、第２収容室６、仕切り壁１１及び蓋８には、防水加工が施されており、仕切り壁１１に、一端部９ａが第１収容室５に突出するとともに他端部９ｂが第２収容室６に突出する端子９が、インサート成形によって埋め込まれている水質測定装置１。【選択図】図４
2015049139.tif 000002
【特許請求の範囲】
【請求項１】
水質測定用センサを操作する操作本体を収容する第１収容室と、電池を収容する第２収容室とを仕切り壁で仕切るケースを備える水質測定装置であって、
前記第２収容室には、電池を出し入れするための開口が設けられるとともに、該開口を封止する蓋が設けられて、
前記第１収容室、前記第２収容室、前記仕切り壁及び前記蓋には、防水加工が施されており、
前記仕切り壁に、一端部が第１収容室に突出するとともに他端部が第２収容室に突出する端子が、インサート成形によって埋め込まれていることを特徴とする水質測定装置。
【請求項２】
前記蓋は、前記蓋又は前記開口の周縁部のいずれか一方に設けられたシール部材を介して前記周縁部と接触し、前記開口を封止することを特徴とする水質測定装置。
【請求項３】
前記ケースは、インサート成形によって形成された第１部材と第２部材とが接合して構成されており、
前記第１部材と前記第２部材とが接合する接合面において、前記第１部材と前記第２部材のいずれか一方に２色成形によってシール部材が設けられていることを特徴とする請求項１又は２記載の水質測定装置。
【請求項４】
前記蓋又は前記周縁部のいずれか一方に設けられた前記シール部材は、２色成形によって設けられていることを特徴とする請求項３記載の水質測定装置。
【発明の詳細な説明】
【技術分野】
【０００１】
この発明は、水質測定装置に関するものである。
【背景技術】
【０００２】
例えば海洋、河川・湖沼、都市下水、工場下水、農業用水、養殖場等の様々な状況において水質を検査する水質測定装置として、例えば特許文献１に記載されたものがある。この水質測定装置は、水中に浸漬させて水質測定を行うセンサとセンサを操作する操作本体とを有する。
【０００３】
このような水質測定装置では、センサを操作する操作本体に水がかからないようにするため、操作本体を防水加工が施されたケースに収容する。
【先行技術文献】
【特許文献】
【０００４】
【特許文献１】特開２００７−３２７９６９号公報
【発明の概要】
【発明が解決しようとする課題】
【０００５】
ところで、特許文献１に記載されているような水質測定装置では、操作本体の動力源として電池が用いられる。そこで、操作本体を収容するケースには、操作本体を収容する収容室とは別に電池を収容する収容室が設けられ、操作本体を収容する収容室と電池を収容する収容室との間は、仕切り壁等によって仕切られている。そして、この仕切り壁には、操作本体と電池とを導通するための端子を配置する隙間が設けられる。
【０００６】
しかしながら、水質測定装置を使用しないまま長時間が経過すると、電池から液漏れが生じる場合があり、電池から漏れた液は、端子が配置される仕切り壁の隙間を通って操作本体へと流れこみ、操作本体（例えば基板等）をショートさせて水質測定装置を故障させるという問題がある。
【０００７】
また、電池を収容する収容室には電池を出し入れするための蓋が設けられており、この蓋の閉め方が緩い場合にも、わずかに生じた隙間から収容室に水が流れこみ、この流れこんだ水が、仕切り壁の隙間を通って操作本体をショートさせ、水質測定装置を故障させる場合がある。
【０００８】
本発明は、上記問題を鑑みてなされたものであり、電池を収容する収容室に電池の液漏れや漏水等の異常が発生した場合であっても、装置の故障を防いだ水質測定装置を提供するべく図ったものである。
【課題を解決するための手段】
【０００９】
本発明に係る水質測定装置は、水質測定用センサを操作する操作本体を収容する第１収容室と、電池を収容する第２収容室とを仕切り壁で仕切るケースを備える水質測定装置であって、前記第２収容室には、電池を出し入れするための開口が設けられるとともに、該開口を封止する蓋が設けられて、前記第１収容室、前記第２収容室、前記仕切り壁及び前記蓋には、防水加工が施されており、前記仕切り壁に、一端部が第１収容室に突出するとともに他端部が第２収容室に突出する端子が、インサート成形によって埋め込まれていることを特徴とする。
【００１０】
このような構成によれば、端子が操作本体を収容する第１収容室と電池を収容する第２収容室との間の仕切り壁に埋め込まれており、仕切り壁に隙間がない。そのため、電池を収容する第２収容室で電池の液漏れや漏水等の異常が発生しても、この液体が仕切り壁を通って第２収容室から第１収容室に流れ込むことがなく、電池を収容する第２収容室の異常によって、水質測定装置が故障することを確実に防ぐことができる。
【００１１】
また、前記蓋は、前記蓋又は前記開口の周縁部のいずれか一方に設けられたシール部材を介して前記周縁部と接触し、前記開口を封止するものであれば、蓋の閉め方が多少緩い場合であっても、シール部材によって、第２収容室に漏水が発生することを防ぐことができる。そのため、第２収容室で発生する異常を防いで、第１収容室に液体が進入することを防ぎ、水質測定装置の故障を防ぐことができる。
【００１２】
さらに、前記ケースは、インサート成形によって形成された第１部材と第２部材とが接合して構成されており、前記第１部材と前記第２部材のいずれか一方に２色成形によってシール部材が設けられていれば、第１部材及び第２部材をインサート成形により形成した後に、第１部材又は第２部材のいずれか一方に２色成形によってシール部材を設けることができる。そのため、シール部材によって第１収容室に漏水が発生すること防止できるケースを簡便に製造することができる。
【００１３】
加えて、前記蓋又は前記周縁部のいずれか一方に設けられた前記シール部材が、２色成形によって設けられていれば、第１部材及び第２部材をインサート成形により形成した後に、蓋又は周縁部のいずれか一方に２色成形によってシール部材を設けることができる。そのため、シール部材によって第２収容室に漏水が発生することを防止できるケースを簡便に製造することができる。
【発明の効果】
【００１４】
本発明の水質測定装置によれば、電池を収容する収容室に電池の液漏れや漏水等の異常が生じた場合にも、装置の故障を防ぐことができる。
【図面の簡単な説明】
【００１５】
【図１】本実施形態に係る水質測定装置の正面を示す斜視図。
【図２】本実施形態に係る水質測定装置の背面を示す斜視図。
【図３】本実施形態に係る水質測定装置の背面を示す斜視図。
【図４】図３におけるＡＡ断面図を示す断面図。
【図５】図４にＢを拡大した拡大断面図。
【図６】本実施形態に係る第１部材を示す斜視図。
【図７】本実施形態に係る蓋示す正面図。
【発明を実施するための形態】
【００１６】
以下に本発明に係る水質測定装置の一実施形態について説明する。
【００１７】
本実施形態の水質測定装置１は、試料溶液のｐＨ、電気導電率、イオン濃度等を測定する水質測定装置１であって、水質測定用センサを操作する図示しない操作本体を収容する第１収容室５と、電池を収容する第２収容室６とを仕切り壁１１で仕切るケース２を備えるものである。
【００１８】
ケース２は、操作本体を収容して防水するものであって、例えば耐水性を備えるポリカーボネート樹脂等から構成されている。このケース２は、例えば樹脂を金型に注入する射出成型で形成された第１部材３と第２部材４とを接合して構成される。
【００１９】
また、第１部材３の第１部材３と第２部材４とが接合する接合面には、図６に示すように、２色成形によってシール部材１０ａが設けられている。２色成形とは、第１部材３及び第２部材４を形成した後に、この第１部材３及び第２部材４を射出成形の際に用いた金型とは異なる金型に入れて、射出成形の際に用いた樹脂とは異なる樹脂（本実施形態では、例えば加工性・柔軟性に優れるオレフィン系可塑性エラストマー等の樹脂）を注入する成形方法をいう。
【００２０】
ケース２の外表面は、図１に示すように、水質測定用センサ等の外部機器と接続するための複数の接続端子孔２ａ、水質測定用センサからの測定データを表示する表示部２ｂ、及び、水質測定用センサを操作するための操作キー２ｃが設けられている。
【００２１】
ケース２の内部は、図４に示すように、仕切り壁１１で仕切られた水質測定用センサを操作する操作本体を収容する第１収容室５と、電池を収容する第２収容室６とを具備するものであり、第１収容室５と第２収容室６とは、仕切り壁１１によって仕切られている。
【００２２】
第１収容室５は、水質測定用センサを操作する操作本体を収容するものであり、本実施形態では、図４に示すように、第１部材３と第２部材４とが接合して形成される密閉空間のことである。ここで操作本体とは、ユーザが操作した操作キー２ｃの情報や水質測定用センサから送られてきた情報を受け付けて表示部２ｂや水質測定用センサ等に出力する所謂コンピュータ回路である。
【００２３】
第２収容室６は、図２、３、４に示すように、操作本体に電力を供給する電池を収容するものであり、本実施形態では、第１部材３に設けられた凹部７と凹部７の開口を封止する蓋８との間に形成される空間のことである。この凹部７及び蓋８は第１部材３の一部であるため、防水性を備えるポリカーボネート樹脂等で構成され、凹部７及び蓋８も防水性を備えるものである。
【００２４】
蓋８は、凹部７の周縁部７ａと接触して凹部７の開口を封止するものであって、具体的には、図２、３、８に示すように、凹部の周縁部７ａ及び蓋８に設けられたネジ孔にネジを閉めることにより、凹部の周縁部７ａと蓋８とを押圧接触させて、開口を封止するものである。また、図７に示すように、凹部７の周縁部７ａと接触する接触面に２色成形によって形成されたシール部材１０ｂが設けられている。２色成形については上述したものと同様であるので、ここでは説明を省略する。
【００２５】
しかして、仕切り壁１１は、第１収容室５と第２収容室６とを仕切るものであり、本実施形態では、第１部材３に設けられた凹部７の壁のことである。そして、この仕切り壁１１には、図２、３、４、５、６に示すように、一端部９ａが第１収容室５に突出するとともに他端部９ｂが第２収容室６に突出する端子９が埋め込まれている。
【００２６】
端子９は、図５に示すように、仕切り壁１１を貫通して一端部９ａが第１収容室５に突出するとともに、他端部９ｂが第２収容室６に突出するものであって、金型に挿入した端子９の周囲に樹脂を注入して端子９と樹脂とを一体化するインサート成形によって仕切り壁１１に隙間なく埋め込まれている。
【００２７】
端子９の第２収容室６に突出する他端部９ｂは、電池のプラス極又はマイナス極と押圧接触する電池接側部となり、第１収容室５に突出する一端部９ａは、操作本体と導通する操作本体接続部となる。
【００２８】
なお、本実施形態では筒形状の電池を装着することが想定されているので、第２収容室６では、図４に示すように、互いに対向する仕切り壁１１に一対の端子９が埋め込まれ、一方がプラス極、他方がマイナス極と押圧接触する電池接続部となるように構成されているが、いずれの端子９もインサート成型によって仕切り壁１１に隙間無く埋め込まれている。
【００２９】
以上のように構成された本実施形態の水質測定装置は、以下のような格別の効果を有する。
【００３０】
つまり、端子９が操作本体を収容する第１収容室５と電池を収容する第２収容室６との間の仕切り壁１１に埋め込まれており、仕切り壁１１に隙間がない。そのため、電池を収容する第２収容室６で電池の液漏れや漏水等の異常が発生しても、この液体が仕切り壁１１を通って第２収容室６から第１収容室５に流れ込むことがなく、電池を収容する第２収容室６の異常によって、水質測定装置１が故障することを確実に防ぐことができる。
【００３１】
また、蓋８は、蓋８に設けられたシール部材１０ｂを介して凹部７の周縁部７ａと接触し、凹部７の開口を封止するので、蓋８の閉め方が多少緩い場合であっても、シール部材１０ｂによって、第２収容室６に漏水が発生することを防ぐことができる。そのため、第２収容室６で発生する異常を防いで、第１収容室５に液体が進入することを防ぎ、水質測定装置１の故障を防ぐことができる。
【００３２】
さらに、ケース２は、インサート成形によって形成された第１部材３と第２部材４とが接合して構成されており、第１部材３に２色成形によってシール部材１０ａが設けられるので、第１部材３及び第２部材４をインサート成形により形成した後に、第１部材３に２色成形によってシール部材１０ａを設けることができる。そのため、シール部材１０ａによって第１収容室５に漏水が発生すること防止できるケース２を簡便に製造することができる。
【００３３】
加えて、蓋８に設けられたシール部材が、２色成形によって設けられているので、第１部材３及び第２部材４をインサート成形により形成した後に、蓋８に２色成形によってシール部材１０ｂを設けることができる。そのため、シール部材１０ｂによって第２収容室６に漏水が発生することを防止できるケース２を簡便に製造することができる。
【００３４】
本発明は、上記実施形態に限られたものではない。
【００３５】
上記実施形態では、筒形状の電池を装着することが想定されているので、第２収容室では、互いに対向する仕切り壁に一対の端子が埋め込まれていたが、電池の種類、形状、本数等に合わせて、仕切り壁に埋め込む端子は適宜変更することが可能である。
【００３６】
また、上記実施形態では、シール部材がそれぞれ第１部材及び蓋に設けられていたが、第２部材及び凹部の周縁部に設けられていてもよい。
【００３７】
本発明は、その趣旨を逸脱しない範囲で種々の変形が可能である。
【符号の説明】
【００３８】
１・・・水質測定装置
２・・・ケース
５・・・第１収容室
６・・・第２収容室
８・・・蓋
９・・・端子
１１・・仕切り壁
【図１】
2015049139.tif 000003
【図２】
2015049139.tif 000004
【図３】
2015049139.tif 000005
【図４】
2015049139.tif 000006
【図５】
2015049139.tif 000007
【図６】
2015049139.tif 000008
【図７】
2015049139.tif 000009